(57)【要約】【課題】  第２の電子掲示板のページから、第１の電子掲示板において投稿記事のリストを表示させたり、第２の電子掲示板のページから、第１の電子掲示板において投稿記事を表示させたりする電子掲示板のページ作成方法を提供する。【解決手段】  WWWサーバのＳ３６において、「みんなの掲示板」の要求を受信したときは、Ｓ３７において「みんなの掲示板」のHTMLファイルを送信し、Ｓ３９において「みんなの掲示板」の処理を実行する。「先生の掲示板」の要求を受信したときは、Ｓ３８において「先生の掲示板」のHTMLファイルを送信し、Ｓ４０において「先生の掲示板」の処理を実行する。投稿者名検索をするのに「掲示板管理番号」も検索条件とする。「掲示板管理番号」と「投稿記事管理番号」とを組み合わせて引用する。【選択図】  図１６
2005004794.tif 000002
【特許請求の範囲】
【請求項１】
投稿記事を表示する電子掲示板のページ作成方法において、
第１，第２の前記電子掲示板が開設されており、
第１の電子掲示板における投稿記事を意味する掲示板管理情報を有し、
第１の電子掲示板における投稿記事が、前記掲示板管理情報の指定により第２の電子掲示板からアクセス可能に設定されて記憶され、
第２の電子掲示板のページにおいて、ユーザにより前記掲示板管理情報の指定とともに、投稿者名あるいは検索語が指定されたときに、第１の電子掲示板において指定された前記投稿者名あるいは前記検索語を有する投稿記事を検索する検索ステップ、
検索された前記投稿記事のリストを表示する第１の電子掲示板のページファイルを作成するファイル作成ステップ、
を有することを特徴とする電子掲示板のページ作成方法。
【請求項２】
投稿記事を表示する電子掲示板のページ作成方法において、
第１，第２の前記電子掲示板が開設されており、
第１の電子掲示板における投稿記事を意味する掲示板管理情報を有し、
第１の電子掲示板における投稿記事が、前記掲示板管理情報の指定により第２の電子掲示板に投稿された前記投稿記事からアクセス可能に設定されて記憶され、
第２の電子掲示板のページにおいて、ユーザにより前記掲示板管理情報の指定とともに第１の電子掲示板における前記投稿記事の投稿記事管理情報が指定されたときに、第１の電子掲示板において前記指定された投稿記事管理情報に対応する投稿記事にリンクするリンクステップ、
リンクされた前記投稿記事の内容を表示する第１の電子掲示板のページファイルを作成するファイル作成ステップ、
を有することを特徴とする電子掲示板のページ作成方法。
【請求項３】
第２の電子掲示板における前記投稿記事は、第１の電子掲示板のページからアクセス不可能に設定されて記憶されている、
ことを特徴とする請求項１または２に記載の電子掲示板のページ作成方法。
【請求項４】
投稿記事を表示する電子掲示板のページを作成するサーバ装置において、
第１，第２の前記電子掲示板が開設されており、
第１の電子掲示板における投稿記事を意味する掲示板管理情報を有し、
第１の電子掲示板における投稿記事が、前記掲示板管理情報の指定により第２の電子掲示板からアクセス可能に設定されて記憶される記憶手段、
第２の電子掲示板のページにおいて、ユーザにより前記掲示板管理情報の指定とともに、投稿者名あるいは検索語が指定されたときに、第１の電子掲示板において指定された前記投稿者名あるいは前記検索語を有する投稿記事を検索する検索手段、
検索された前記投稿記事のリストを表示する第１の電子掲示板のページファイルを作成するファイル作成手段、
を有することを特徴とするサーバ装置。
【請求項５】
投稿記事を表示する電子掲示板のページを作成するサーバ装置において、
第１，第２の前記電子掲示板が開設されており、
第１の電子掲示板における投稿記事を意味する掲示板管理情報を有し、
第１の電子掲示板における投稿記事が、前記掲示板管理情報の指定により第２の電子掲示板に投稿された前記投稿記事からアクセス可能に設定されて記憶される記憶手段、
第２の電子掲示板のページにおいて、ユーザにより前記掲示板管理情報の指定とともに第１の電子掲示板における前記投稿記事の投稿記事管理情報が指定されたときに、第１の電子掲示板において前記指定された投稿記事管理情報に対応する投稿記事にリンクするリンク手段、
リンクされた前記投稿記事の内容を表示する第１の電子掲示板のページファイルを作成するファイル作成手段、
を有することを特徴とするサーバ装置。
【発明の詳細な説明】
【技術分野】
【０００１】
本発明は、ネットワーク等を利用しユーザが所望する投稿記事を表示する電子掲示板（Electronic Bulletin Board System）のページ作成方法およびサーバ装置に関するものである。
【背景技術】
【０００２】
従来、ネットワークを利用して複数のユーザのコンピュータからの投稿記事を受信して蓄積し、各コンピュータに電子掲示板サービスを提供するサーバ装置が知られている。
図２２は、ネットワークを利用した従来の電子掲示板サービスを説明するためのシステム概要図である。
図中、２０１はパーソナルコンピュータ、２０２はインターネットなどのネットワーク、２０３はWWW（World Wide Web）サーバ、２０４はWWWサーバ２０３の外部記憶装置、２０５は携帯電話端末、２０６はＰＤＡ（Personal Digital Assistant）端末、２０７は基地局である。
パーソナルコンピュータ２０１は、ネットワーク２０２を介してWWW（World Wide Web）サーバ２０３に接続されて、電子掲示板のサービスを受けるユーザ端末（クライアント）となる。また、携帯電話端末２０５，ＰＤＡ端末２０６等の無線端末は、基地局２０７を介してネットワーク２０２に接続され、同様に、WWWサーバ２０３と接続されて電子掲示板のサービスを受けるユーザ端末となる。
【０００３】
図２３は、従来のネットワークを利用した電子掲示板サービスを説明するための機能構成図である。ユーザ端末としてパーソナルコンピュータ２０１を例示する。
図中、２１１はディスプレイなどの表示器、２１２はキーボード，マウス等の入力部、２０１ａは、WWWブラウザであって、入力部２１２から入力された投稿記事や各種の要求を、URL（Uniform Resource Locators）を使用してWWWサーバ２０３に送信させるとともに、WWWサーバ２０３からHTML（Hypertext Markup Language）ファイルとして受信されたWebページを表示器２１１に表示させる。
【０００４】
WWWサーバ２０３は、パーソナルコンピュータ２０１から送信された投稿記事を受信し、掲示板ページ作成部２０３ａを起動する。掲示板ページ作成部２０３ａは、データベース管理システム２１３に対し、投稿記事および投稿番号等の管理情報を転送して投稿記事データベース２１４を作成させる。
WWWサーバ２０３は、また、パーソナルコンピュータ２０１から送信された各種の要求を受信して、掲示板ページ作成部２０３ａを起動する。掲示板ページ作成部２０３ａは、上述した要求の内容に応じて、データベース管理システム２１３に対し、投稿記事データベース２１４に蓄積された投稿記事および種々の管理情報を読み出させ、電子掲示板のページを表示させるためのHTMLファイルを作成し、WWWサーバに対し、作成したHTMLファイルをパーソナルコンピュータ２０１に送信させる。
【０００５】
投稿記事データベース２１４は、例えば、図２２に示したような、WWWサーバ２０３の外部記憶装置２０４上に構築される。あるいは、データベース管理システム２１３とともに、ネットワーク２０２、あるいは、図示しないＬＡＮを介したファイルサーバに設けることもできる。
なお、図２２に示した携帯電話端末２０５，ＰＤＡ端末２０６であっても、WWWブラウザ機能を有するものであれば、例示したパーソナルコンピュータ２０１の場合と同様に機能する。
上述したWWWサーバ２０３のWWWサーバプログラムとしては、例えばApacheが用いられる。上述した掲示板ページ作成部２０３ａの機能は、例えばCGI（Common Gateway Interface）プログラムで実行され、具体的には、例えばPerl（Practical Extraction and Report Language）が用いられ、データベース管理システム２１３に対して構造化照会言語SQL（Structured Query Language）を用いてアクセスする。
【０００６】
上述した従来の電子掲示板サービスを提供するサーバ装置における掲示板ページの作成方法には、種々の作成方法がある。
第１の作成方法として、全ての投稿記事の本文を時間順に表示させる。この場合、投稿記事の本文は数行にわたる場合が多いため、所望の投稿記事を探し出すことが難しい。
そのため、第２の作成方法として、投稿記事のリストをまず表示させ、その中から所望の投稿記事を探し出し、所望の投稿記事の題名等をクリックすることにより、所望の投稿記事の内容を表示させる。
リスト表示としては、時間順序表示のほか、新規投稿記事およびそれに関連する応答投稿記事の階層を考慮して、下位の階層であるほど、各投稿記事リスト項目の行頭を右方向にずらせるというツリー表示がある。ツリー表示の場合、新規投稿および応答投稿の応答の階層関係が明瞭となる。
【０００７】
しかし、電子掲示板を複数開設したときに、相互の電子掲示板に投稿者や投稿記事の関連性がある場合でも、相互の電子掲示板は独立してサービスされ、ユーザは相互間の移動ができないものであった。
【発明の開示】
【発明が解決しようとする課題】
【０００８】
本発明は、上述した問題点を解決するためになされたもので、第２の電子掲示板のページから、第１の電子掲示板における投稿者あるいは検索語を指定することにより第１の電子掲示板において投稿記事のリストを表示させたり、第２の電子掲示板のページから、第１の電子掲示板における投稿記事を指定することにより第１の電子掲示板において投稿記事を表示させたりする電子掲示板のページ作成方法およびサーバ装置を提供することを目的とするものである。
【課題を解決するための手段】
【０００９】
本発明は、請求項１に記載の発明においては、投稿記事を表示する電子掲示板のページ作成方法において、第１，第２の前記電子掲示板が開設されており、第１の電子掲示板における投稿記事を意味する掲示板管理情報を有し、第１の電子掲示板における投稿記事が、前記掲示板管理情報の指定により第２の電子掲示板からアクセス可能に設定されて記憶され、第２の電子掲示板のページにおいて、ユーザにより前記掲示番管理情報の指定とともに、投稿者名あるいは検索語が指定されたときに、第１の電子掲示板において指定された前記投稿者名あるいは前記検索語を有する投稿記事を検索する検索ステップ、検索された前記投稿記事のリストを表示する第１の電子掲示板のページファイルを作成するファイル作成ステップを有するものである。
したがって、第２の電子掲示板のページから第１の電子掲示板における投稿者名あるいは前記検索語を指定することにより、第１の電子掲示板の投稿記事のリストを表示させることができる。
その結果、相互の電子掲示板に投稿者名あるいは検索語の関連性がある場合に、ユーザは他方の電子掲示板のページに移動することができるようになる。
【００１０】
請求項２に記載の発明においては、投稿記事を表示する電子掲示板のページ作成方法において、第１，第２の前記電子掲示板が開設されており、第１の電子掲示板における投稿記事を意味する掲示板管理情報を有し、第１の電子掲示板における投稿記事が、前記掲示板管理情報の指定により第２の電子掲示板に投稿された前記投稿記事からアクセス可能に設定されて記憶され、第２の電子掲示板のページにおいて、ユーザにより前記掲示板管理情報の指定とともに第１の電子掲示板における前記投稿記事の投稿記事管理情報が指定されたときに、第１の電子掲示板において前記指定された投稿記事管理情報に対応する投稿記事にリンクするリンクステップ、リンクされた前記投稿記事の内容を表示する第１の電子掲示板のページファイルを作成するファイル作成ステップを有するものである。
したがって、第２の電子掲示板のページから第１の電子掲示板における投稿記事を指定することにより、第１の電子掲示板の投稿記事の内容を表示させることができる。
その結果、相互の電子掲示板に投稿記事の関連性がある場合に、ユーザは他方の電子掲示板のページに移動することができるようになる。
【００１１】
請求項３に記載の発明においては、請求項１または２に記載の電子掲示板のページ作成方法において、第２の電子掲示板における前記投稿記事は、第１の電子掲示板のページからアクセス不可能に設定されて記憶されているものである。
したがって、第２の電子掲示板の投稿記事のリストおよびその記事の内容が第１の電子掲示板のユーザに見られないようにすることができる。
【００１２】
請求項４に記載の発明においては、投稿記事を表示する電子掲示板のページを作成するサーバ装置において、第１，第２の前記電子掲示板が開設されており、第１の電子掲示板における投稿記事を意味する掲示板管理情報を有し、第１の電子掲示板における投稿記事が、前記掲示板管理情報の指定により第２の電子掲示板からアクセス可能に設定されて記憶される記憶手段、第２の電子掲示板のページにおいて、ユーザにより前記掲示板管理情報の指定とともに、投稿者名あるいは検索語が指定されたときに、第１の電子掲示板において指定された前記投稿者名あるいは前記検索語を有する投稿記事を検索する検索手段、検索された前記投稿記事のリストを表示する第１の電子掲示板のページファイルを作成するファイル作成手段を有するものである。
【００１３】
請求項５に記載の発明においては、投稿記事を表示する電子掲示板のページを作成するサーバ装置において、第１，第２の前記電子掲示板が開設されており、第１の電子掲示板における投稿記事を意味する掲示板管理情報を有し、第１の電子掲示板における投稿記事が、前記掲示板管理情報の指定により第２の電子掲示板に投稿された前記投稿記事からアクセス可能に設定されて記憶される記憶手段、第２の電子掲示板のページにおいて、ユーザにより前記掲示板管理情報の指定とともに第１の電子掲示板における前記投稿記事の投稿記事管理情報が指定されたときに、第１の電子掲示板において前記指定された投稿記事管理情報に対応する投稿記事にリンクするリンク手段、リンクされた前記投稿記事の内容を表示する第１の電子掲示板のページファイルを作成するファイル作成手段、を有するものである。
【００１４】
上述した請求項１ないし３に記載の電子掲示板のページ作成方法は、コンピュータにより実行される電子掲示板のページ作成プログラムにより実現することができる。この電子掲示板のページ作成プログラムは、記録媒体に記録しておくことができ、また、記録媒体に記録してサーバ装置に供給することができる。
【発明の効果】
【００１５】
本発明は、上述した説明から明らかなように、第２の電子掲示板のページから、第１の電子掲示板における投稿記事のリストを表示させたり、投稿記事を表示させたりすることができるという効果がある。
【発明を実施するための最良の形態】
【００１６】
図１は、本発明の実施の一形態によって、ユーザ端末の表示器に表示される表示ページの説明図である。
各表示ページ間の移動は主要なものを示している。
このような表示ページを実現する本発明のシステム概要図および機能構成図は、図２２，図２３を参照して説明した従来のものと同様である。しかし、掲示板ページ作成部２０３ａの機能および、投稿記事データベース２１４のデータ構造は異なる。
図１中、１は一覧表示ページである。この一覧表示ページ１には、内容項目選択用ドロップダウンリスト１ａ、新規投稿ボタン１ｂ、アイコン１ｃ、各投稿記事のリスト表示項目１ｄが表示されている。
投稿された複数の投稿記事の各リスト表示項目１ｄの行頭部分には、アイコン１ｃが付与されている。後述するように、ユーザは、投稿記事の内容を特定する内容項目を指定する。アイコン１ｃは、この投稿記事の内容を特定する項目を象徴する画像表示である。パーソナルコンピュータ２０１の表示器２０２よりも小さい携帯電話端末２０５やＰＤＡ端末２０６の表示器で見るときには、アイコン１ｃが特に有効である。項目内容を文字で説明しなくても、アイコン１ｃだけでわかるので、表示文字数が少なくて済む。
【００１７】
投稿記事には、掲示板に新規に投稿するときの「新規投稿」と、この「新規投稿」に応答して投稿される「応答投稿記事」とがある。「新規投稿」と「応答投稿記事」の各リスト表示項目１ｄは、その応答の階層関係にしたがって、階層的なツリー構造で表示される。
すなわち、「応答投稿記事」は、「新規投稿記事」に従属する形で表示される。さらに、これらの階層関係にある投稿記事のリスト表示は、１つの窓枠にまとめられて表示される。その結果、議論や話題になっている関連投稿記事群がすぐにわかり、まとめて読むことができる。
このように階層関係にある関連投稿記事群に対しては、新規投稿のリスト表示項目１ｄに対してのみ、１つのアイコンを表示させる。その結果、表示が単純で見やすくなる。
【００１８】
一覧表示ページ１を初めて表示させたときには、初期表示として、全ての項目の記事を新規投稿の投稿時間順序（昇順あるいは降順）で表示させる。
しかし、内容項目選択用ドロップダウンリスト１ａによって、ユーザが内容項目（内容を特定する項目）を指定することにより、この初期表示後の再表示として、該当する内容項目の投稿記事だけを選択的に一覧表示させることができる。
投稿記事の内容に絞り込まれて一覧表示されるので、必要な内容の投稿記事を探しやすい。また、見たい項目の投稿記事だけを見ることができる。
なお、各投稿記事のリスト表示項目が１行の範囲を超えたときには、さらに次の行にまたがって表示される。
【００１９】
次に、２は新規投稿ページである。一覧表示ページ１における新規投稿ボタン１ｂをクリックすることにより、WWWサーバ２０３により、新規投稿ページ２が作成され、パーソナルコンピュータ２０１の表示器２０２に表示される。２ｂは内容項目指定用ドロップダウンリスト、２ａは新規投稿文書を入力するための入力領域、２ｃは送信ボタンである。
投稿者は、内容項目指定用ドロップダウンリスト２ｂにあらかじめデフォルトで表示された複数項目の中からその投稿内容に応じた内容項目を指定し、入力領域２ａに新規投稿のタイトルやメッセージ等を入力する。送信ボタン２ｃをクリックすることにより、内容項目指定情報および新規投稿データがWWWサーバ２０３に送信される。WWWサーバ２０３では、内容を更新した一覧表示ページ１を作成して、パーソナルコンピュータ２０１の表示器２０２に表示させる。
【００２０】
次に、３は投稿記事ページである。一覧表示ページ１において、リスト表示項目１ｄの一部、通常、アンダーラインが付されている部分をクリックすることによって、このリスト表示項目１ｄに対応する投稿記事を指定してその内容の表示要求がWWWサーバ２０３に送信される。WWWサーバ２０３では、投稿記事ページ３を作成して、パーソナルコンピュータ２０１の表示器２０２に表示させる。
なお、全ての投稿記事の投稿記事ページが先に作成されている場合もある。このような場合には、指定された投稿記事ページ３を選択して表示させるだけである。
また、一覧表示ページ１の下に全ての投稿記事の内容が順に表示されるような長いページである場合もある。このような場合には、指定された投稿記事について、図示された投稿記事ページ３の内容が画面に表示されるように、ページ内の画面表示位置を変更させる。
【００２１】
投稿記事ページ３において、３ａは投稿記事表示部、３ｂは応答投稿ボタン、３ｃは「もどるボタン」、３ｄは階層リスト表示部、３ｅは矢印である。この投稿記事ページ３においては、指定された投稿記事の内容の表示部３ａとともに、階層リスト表示部３ｄが表示されている。
この階層リスト表示部３ｄは、指定された投稿記事と、この指定された投稿記事に対して階層関係を有する投稿記事との各リスト表示項目を階層的に表示する部分である。矢印３ｅは、表示部３ａに現に記事内容が表示されている投稿記事の階層位置を容易に識別できるようにするためのものである。
【００２２】
図示の例では矢印３ｅの形状のアイコン標識を用いている。しかし、指定された投稿記事の位置がわかるものであれば、このような標識を表示させる方法に限らない。例えば、指定された投稿記事に対応するリスト用表示項目の１つである投稿番号の文字色を他とは異なる色にしてもよい。
また、階層リスト表示部３ｄにおいて、指定された投稿記事自身のリスト表示項目は省略してもよい。この指定された投稿記事の上の階層となる階層関係を有する投稿記事の各リスト表示項目と、指定された投稿記事の下の階層となる階層関係を有する投稿記事の各リスト表示項目とを、別々に表示させれば、指定された投稿記事の位置がわかる。
【００２３】
ユーザが応答ボタン３ｂをクリックすることにより、応答投稿要求がWWWサーバ２０３に送信される。WWWサーバ２０３では、応答投稿ページ４を作成して、パーソナルコンピュータ２０１の表示器２０２に表示させる。
一方、ユーザが「もどるボタン」３ｃをクリックすれば、戻り要求がWWWサーバ２０３に送信される。WWWサーバ２０３では、再び一覧表示ページ１を作成して、パーソナルコンピュータ２０１に送信し、表示器２０２で表示させる。
【００２４】
次に、４は応答投稿ページである。ユーザは、応答投稿記事を、応答投稿の入力領域４ａ内のテキストボックスに入力する。次に、送信ボタン４ｂをクリックすれば、応答投稿記事がWWWサーバ２０３に送信される。WWWサーバ２０３では、内容を更新した一覧表示ページ１を作成して、パーソナルコンピュータ２０１の表示器２０２に表示させる。
すなわち、応答投稿記事を投稿すれば、自動的に関連する投稿記事群に取り込まれる。「もどるボタン」４ｃをクリックすれば、投稿記事ページ３に戻る。
【００２５】
図２は、投稿記事データベース２１４におけるデータ構造の一例を模式的に示す説明図である。
図２（ａ）は投稿記事データベースのデータ構造である。
図１の新規投稿ページ２を用いて、ユーザが新規に記事を投稿すると、掲示板ページ作成部２０３ａは、１０個のデータベースフィールドを作成する。すなわち、新規投稿ａ，ｂ，ｃ，……毎に、投稿の発生順に１０個のデータベースフィールドからなるレコードが作成される。最初のデータベースフィールドは新規投稿のためのデータベースフィールドである。残りのデータベースフィールドは、この新規投稿に応答する応答投稿、あるいは、この応答投稿に応答する応答投稿のためのデータベースフィールドである。図示の例では、１つの新規投稿に対して、合計９個までの応答投稿（１）〜（９）が許容される。
【００２６】
図２（ｂ）は、各データベースフィールドの内容を示す模式的説明図である。
各データベースフィールドは、複数の属性を有するフィールドに分かれている。各属性は、投稿番号、投稿日，階層，内容項目，題名，投稿者（ハンドルネーム），投稿者（メールアドレス），投稿記事本文（メッセージ）である。
投稿番号は、投稿順に付される番号である。投稿番号、投稿日、階層は、管理番号の一種として、掲示板ページ作成部２０３ａにおいて生成される。階層は、例えば、新規投稿を１とし、新規投稿に応答する応答投稿を２とする。応答投稿を基礎としてさらに応答投稿をした場合には、基礎とする応答投稿の階層に＋１する。なお、投稿記事本文は比較的長いので、別のレコードとして、元のレコードとの関連づけを行ってもよい。
【００２７】
上述したデータ構造にしたがって、投稿記事および投稿番号等の管理情報を外部記憶装置２０４などに記憶させる。すなわち、１または複数の新規の投稿記事および該新規の投稿記事に対する１または複数の応答用の投稿記事が、応答の階層関係とともに記憶される。
その結果、図１に示した一覧表示ページ１あるいは投稿記事ページ３のHTMLファイルを作成するときに、投稿記事のリストを階層的に表示させ、かつ、新規投稿記事に対してのみ当該新規投稿記事の内容を特定するアイコンを表示させるとともに、各投稿記事の内容を表示する画面にジャンプさせるリンクが張られたHTML文書を作成することができる。
投稿記事のリスト表示項目は、投稿番号，題名，投稿者（ハンドルネーム），投稿日である。新規投稿記事に対してのみ、その先頭（行頭）位置に、新規投稿記事の内容項目にあらかじめ対応づけられたアイコンの画像データファイルへのリンクを記述しておく。また、各投稿リスト用表示の題名に関連づけて、その投稿記事ページ３を作成するための処理プログラムを起動させる。
その際、投稿記事の内容項目が指定されたときには、各投稿記事の内容項目について検索を行うことにより、指定された内容項目を有する投稿記事についてのみ、一覧表示させることができる。
【００２８】
また、ユーザにより投稿記事が指定されたときに、指定された投稿記事の階層関係を識別する階層関係を識別し、識別された階層関係に基づいて、指定された投稿記事の内容とともに、指定された投稿記事と、この指定された投稿記事に対して階層関係を有する投稿記事が階層的に示されるリストを表示する投稿記事ページ３のファイルを作成することができる。
すなわち、この指定された投稿記事によって、新規投稿ａ，新規投稿ｂ，……のレコードを特定することにより、指定された投稿記事対して階層関係を有する関連する投稿記事群を識別する。
【００２９】
そして、投稿記事群を構成する投稿記事のリスト、すなわち、新規投稿、応答投稿（１），応答投稿（２），……の各リスト表示項目、例えば、投稿番号，題名，投稿者（ハンドルネーム），投稿日を、階層表示させる。
この階層表示において、指定された投稿記事の先頭（行頭）部分に、標識とする記号を表示させるか、標識とするアイコンの画像ファイルへのリンクを記述することにより、指定された投稿記事がわかるようにする。
なお、図示の例では、新規投稿、応答投稿のいずれに対しても同じ属性のフィールドを割り当てたが、異なる属性のフィールドを割り当ててもよい。例えば、新規投稿に対しては階層のフィールドをなくし、応答投稿に対しては内容項目のフィールドをなくしてもよい。
【００３０】
本発明の実施の形態を具体的に実行する方法は、１つに限られない。HTML文書内に記述されるサーバサイドスクリプト言語であるPHP（Personal Homepage/Form InterpreterあるいはHypertext  Preprocessor）スクリプトを使用して実現することができる。しかし、従来と同様にCGIプログラムを用いても実現することもできる。この他、サーバ用のオペレーティングシステムに組み込まれてCGIとして機能するASP（Active Server Pages）プログラムを用いてもよい。
【００３１】
以下、具体例を参照することによって本発明の実施の形態を説明する。
以下に示す図３〜図１５は、パーソナルコンピュータ２０１の表示器２１１で表示される表示画面の一例を示す説明図である。次の図１６〜図２１は、そのような表示画面を表示させるための処理を説明するフローチャートである。
【００３２】
図３は、「電子楽器ステーション」という仮の名前の、あるインターネットサービスのトップページの一例を示す説明図である。
「掲示板」のアイコンが表示されている。この表示位置にポインタを合わせてマウスの左ボタンをクリックすることにより、電子掲示板を提供するトップページにジャンプする。なお、電子掲示板を提供するWWWサーバは、図３に示すインターネットサービスのトップページを提供するWWWサーバと必ずしも一致しない。
電子掲示板サービスのメンバー登録を行うページにリンクする「メンバーズ」のアイコンもある。メンバー登録においては、電子楽器の演奏方法を教える音楽教室の先生の登録を行う。
【００３３】
図４は、電子掲示板のトップページの一例を示す説明図である。
ここで、「先生の掲示板」の所定の表示位置をクリックすれば、先生専用の掲示板に移動する。「みんなの掲示板」の所定の表示位置をクリックすれば、一般ユーザの掲示板の一覧表示ページに移動する。
なお、「先生の掲示板」に移動するには、まずＩＤおよびパスワードを入力する画面において、登録されたＩＤおよびパスワードを入力する必要がある。「みんなの掲示板」については、使用条件を設けないが、あらかじめ登録されたユーザのみが使用できるように、メールアドレスやパスワード等の入力を条件づけてもよい。
【００３４】
図５は、一覧表示ページの一例を示す第１の説明図である。この説明図は、一覧表示ページの上側を表示している画面を示す。
図６は、一覧表示ページの一例を示す第２の説明図である。この説明図は、一覧表示ページの下側を表示する画面を示している。
なお、「みんなの掲示板」は「先生の掲示板」に比べて、一覧表示ページにおいて投稿者検索ができない点を除いて同様である。したがって、特に「先生の掲示板」と「みんなの掲示板」とを区別しないで説明する。
【００３５】
図５に示すように、一覧表示ページの初期画面で、内容項目を指定するドロップダウンリスト１ａは、デフォルトで「すべて表示」となっている。したがって、内容項目を限定しない一覧リストが表示されている。各投稿記事について、投稿番号，題名，投稿者（ハンドル名），投稿日が一覧表示されている。
関連する投稿記事群は、１つの窓枠内に、ツリー構造で表示される。すなわち、図示の例では、下位の階層は、１つ上の階層の投稿記事の下に、その先頭（行頭）位置に「Ｌ」の記号を付し、かつ、右に字下げして表示される。
次の図６に示すように、一覧表示ページに表示する新規投稿記事数を、１ページ行数（ここでは、１つの窓枠を「行」という）として指定する。このテキストボックスに数値を入力し、設定ボタンをクリックすれば行数を変えることができる。なお、新規投稿記事と応答投稿記事とを区別しないで、表示記事数を指定できるようにしてもよい。
【００３６】
図６に示すように、１つの投稿記事のリスト表示項目が長くなった場合には、すぐ次の行に続いているが、続く行は左端から開始されている。これに代えて、次に続く行も、最初の行の先頭と同じ位置から開始されるようにしてもよい。すなわち、その投稿記事の階層に応じて、リスト表示項目がインデントされて表示されるようにしてもよい。
ユーザが、例えば、投稿番号１２７の題名部分をクリックすると、その投稿記事の内容を表示する投稿記事ページ３の画面に移行する。
【００３７】
図７は、投稿記事ページ３の一例を示す説明図である。
投稿番号１２７の指定された投稿記事の内容として、内容項目を特定するアイコン、題名、投稿日、投稿者（ハンドルネーム）、投稿記事本文（メッセージ）とともに、この投稿記事に対して階層関係を有する関連する投稿記事群のリスト表示項目がツリー構造で表示される。このツリー構造において、矢印３ｅが指定された投稿番号１２７の位置を示している。
投稿番号１２７は、新規投稿から２階層下の応答投稿であるので、題名は、「Re：」が２個表示されている。記事本文欄には、最初の新規投稿記事「abcdefghijkl」が消されずに残されて「＞＞」の後に表示されている。また、次の行に、投稿番号１２７自体の応答投稿メッセージ「mnopqrstuvwxyz」が表示されている。
投稿記事群内の他の投稿記事の内容を見たいときには、それぞれの題名部分をクリックする。
この投稿記事に応答して返事を出すときには、「返信」ボタン３ｂをクリックする。一覧表示ページに戻るときには、「もどる」ボタン３ｃをクリックする。なお、WWWブラウザのツールバーにある「もどる」アイコンによっても戻ることができるが、WWWブラウザのツールバーやメニューバー等を用いた操作については説明を省略する。
【００３８】
図８は、応答投稿ページ４の一例を示す説明図である。
図示の例では、題目（タイトル）、投稿者（ハンドルネーム）、投稿者（メールアドレス）、投稿記事本文（メッセージ）には、それぞれテキストボックスが用意され、あらかじめ、それまでにサーバ装置に送信されていたデータに基づいた内容がデフォルト表示されている。メッセージのテキストボックスには、残されていた最初の新規投稿記事「abcdefghijkl」が「＞＞＞」の後に表示され、次の行の「＞」の後に、投稿番号１２７自体の応答メッセージ「mnopqrstuvwxyz」が残されて表示されている。
ユーザは、デフォルト表示されたテキストを適宜、削除あるいは追加を行う。図示の例では、メッセージにテキスト文「zyxwuvtsrqponmlkjihgfedcba」を追加入力している。なお、メールアドレスを、掲示板に表示させるか否かは、ラジオボタンで選択する。
ユーザが送信ボタン４ｂをクリックすると、上述した応答投稿記事が送信され、投稿番号１２７の応答投稿記事となり、一覧表示ページ１が新たに表示されることになる。
【００３９】
図９は、応答投稿記事の内容が反映された一覧表示ページ１の一例を示す説明図である。
先程の応答投稿記事には投稿番号１３５が付与され、そのリスト表示項目が、投稿番号１２７の次の行に、先頭に「Ｌ」記号を付し、先頭位置を右にずらせて表示されている。
【００４０】
次に、図１０は、図５に示した一覧表示ページ１において、内容項目を指定するときの画面の一例を示す説明図である。
ユーザが内容項目選択用ドロップダウンリスト１ａの三角表示ボタンをクリックするとリストが表示される。その中から１つの内容項目、例えば、「買います」をクリックすることにより、内容項目を指定して、見たい投稿記事のみを抽出することができる。
【００４１】
図１１は、内容項目として「買います」が指定されたときの一覧表示ページ１の画面の一例を示す説明図である。内容項目として「買います」が設定された投稿記事だけのリストが表示される。
また、図１２は、内容項目として「教えて」が選択されたときの一覧表示ページ１の画面の一例を示す説明図である。内容項目として「教えて」が設定された投稿記事だけのリストが表示される。
【００４２】
次に、図１３は、新規投稿ページ２の画面の一例を示す説明図である。
既に投稿者名（ハンドルネーム）およびメールアドレスがサーバ装置２０３に送信されているので、これらのテキストボックスはデフォルト表示がされている。ドロップダウンリスト２ｂの三角表示ボタンをクリックして、リストを表示させ、その中から１つの内容項目をクリックすることにより、新規投稿記事に内容項目を設定する。ユーザが選択しなければ、一律に一般投稿を示す「じぇねらる」を設定してもよい。
【００４３】
図１４は、新規投稿ページ２の画面において、ドロップダウンリストを表示させたときの画面の一例を示す説明図である。
図１３，図１４において、送信ボタン２ｃをクリックすることにより、新規投稿記事のタイトル、ハンドルネーム、メールアドレス、内容項目、メッセージのデータがWWWサーバ２０３に送信される。WWWサーバ２０３ではこの新規投稿内容が反映されて更新された一覧表示ページ１のHTMLファイルが作成され、ユーザのパーソナルコンピュータ２０１の表示画面に、更新された一覧表示ページ１が表示される。
図１５は、アイコン説明のページの一例を示す説明図である。
既に説明したように、アイコンは、投稿記事の内容項目を示すシンボル表示である。使用する画面によって、大小２つのサイズが用意されている。
【００４４】
次に、上述した各ページを参照しながら、以下に示すフローチャートを用いて、本発明の実施の一形態の動作を説明する。上述した各ページには、様々なリンクが張られているが、フローチャートでは主要なリンクについて説明する。
図１６は、ユーザ端末からWWWサーバの電子掲示板サービスにアクセスする処理の動作例を示すフローチャートである。図１７〜図２０は、図１６のフローチャートにおけるＳ１９，Ｓ３８における「先生の掲示板」の処理の詳細を説明するフロ−チャートである。Ｓ１８およびＳ３９における「みんなの掲示板」の処理は説明を省略する。「先生の掲示板」と「みんなの掲示板」とを同時に利用するときには、それぞれ別々のWWWブラウザ画面で表示される。
図２１は、投稿内容検索および投稿者検索を実行するフローチャートである。説明の便宜上、図１７〜図２０の処理から抜き出して最後に説明する。
【００４５】
図１６のＳ１１において、ユーザ端末（パーソナルコンピュータ２０１）は、WWWブラウザソフトウエアプログラムを立ち上げ、WWWサーバ２０３のURLを送信する。WWWサーバのＳ３１において、ユーザからアクセスがあったか否かを判定し、アクセスがあればＳ３２に処理を進め、トップページ（図３）のHTMLファイルを送信する。
ユーザ端末のＳ１２においてトップページ（図３）を表示し、ユーザに各種サービスから１つを選択させ、選択されたサービスの要求を送信する。WWWサーバのＳ３３において、このサービス要求を受信し、要求が「掲示板」サービスの要求であればＳ３５に処理を進め、その他のサービスの要求であればＳ３４に処理を進める。
Ｓ３４においては、他のサービスのトップページのHTMLファイルを送信し、ユーザの要求に応じたサービスを実行してＳ３２に処理を戻す。一方、Ｓ３５においては、「掲示板」トップページのHTMLファイルを送信する。
【００４６】
ユーザ端末のＳ１３においては、HTMLファイルを受信したか否かを判定し、受信したときには、それが他のサービスのトップページであれば、Ｓ１４に示す、他のサービスのトップページを表示し、所望のサービスを受けてＳ１２に処理を戻す。
一方、Ｓ１３において、受信したHTMLファイルが「掲示板」トップページであれば、「掲示板」トップページ（図４）を表示して、Ｓ１６に処理を進める。Ｓ１６において、「先生の掲示板」，「みんなの掲示板」の一方を選択して要求を送信する。
【００４７】
WWWサーバのＳ３６において、要求を受信したか否かを判定し、「みんなの掲示板」の要求を受信したときにはＳ３７に処理を進め、「先生の掲示板」の要求を受信したときにはＳ３８に処理を進める。
Ｓ３７において、「みんなの掲示板」のHTMLファイルを送信し、Ｓ３９において「みんなの掲示板」の処理を実行してＳ３２に処理を戻す。一方、Ｓ３８において、「先生の掲示板」のHTMLファイルを送信し、Ｓ４０において、「先生の掲示板」の処理を実行してＳ３２に処理を戻す。
ユーザ端末のＳ１７において、HTMLファイルを受信したか否かを判定し、受信したHTMLファイルが、「みんなの掲示板」のHTMLファイルであれば、Ｓ１８に処理を進め、Ｓ１８において、「みんなの掲示板」の処理を実行し、Ｓ１２に処理を戻す。一方、Ｓ１７において、受信したHTMLファイルが、「先生の掲示板」のHTMLファイルであれば、Ｓ１９に処理を進め、「先生の掲示板」の処理を実行してＳ１２に処理を戻す。
【００４８】
図１７は、図１６のＳ１９，Ｓ３８における「先生の掲示板」の処理の詳細を説明する第１のフロ−チャートである。
WWWサーバのＳ６１において、「先生の掲示板」に属する投稿記事の一覧表示ページ（図５，図６）のHTMLファイルを送信する。この一覧表示ページには、内容項目を示すアイコンが付され、デフォルトでは、新しい順に１０件（投稿記事群の数）ずつのリストが表示される。内容項目は、初期状態では全ての内容を表示する設定になっている。
【００４９】
ユーザ端末のＳ５１において、「先生の掲示板」に属する投稿記事の一覧表示ページ（図５，図６）のHTMLファイルを受信して表示する。
Ｓ５２において、内容項目ドロップダウンリスト（図５，図９，図１０，図１１，図１２の１ａ）の三角表示ボタンのクリックがされたか否かを判定し、クリックされたときにはＳ５３に処理を進め、クリックされていないときには、次の図１７のＳ７１に処理を進める。
Ｓ５３において、内容項目一覧をドロップダウン表示させ、Ｓ５４において、ユーザに内容項目の１つを指定させて内容項目指定要求を送信する。
【００５０】
WWWサーバのＳ６２において、内容項目指定要求を受信したか否かを判定し、受信したときにはＳ６３に処理を進め、受信しないときには、次の図１７のＳ９１に処理を進める。Ｓ６３において、指定された内容項目に属する投稿記事を検索・抽出する。指定された内容項目に属する投稿記事の一覧表示ページ（図１１，図１２）のHTMLファイルを送信する。この一覧表示ページも、Ｓ６１で送信する一覧表示ページと同様に、内容項目を示すアイコンが付され、デフォルトでは、新しい順に１０件（投稿記事群の数）ずつのリストが表示される。
ユーザ端末のＳ５５において、指定された内容項目に属する投稿記事の一覧表示ページ（図１１，図１２）のHTMLファイルを受信して表示する。
【００５１】
図１８は、図１６のＳ１９，Ｓ３８における「先生の掲示板」の処理の詳細を説明する第２のフロ−チャートである。
ユーザ端末のＳ７１において、新規投稿ボタンがクリックされたか否かを判定し、クリックされたときにはＳ７２に処理を進めて新規投稿要求を送信し、クリックされていないときには、次の図１９のＳ１０１に処理を進める。
WWWサーバのＳ９１において、新規投稿要求を受信したか否かを判定し、受信したときにはＳ９２に処理を進め、受信しないときには、次の図１９のＳ１２１に処理を進める。Ｓ９２において、新規投稿ページ（図１３）のHTMLファイルを送信し、Ｓ９３に処理を進める。この新規投稿ページ（図１３）には、内容項目の選択入力のためのドロップダウンリストが設けられている。
【００５２】
ユーザ端末のＳ７３において、新規投稿ページ（図１３）のHTMLファイルを受信して表示する。Ｓ７４において、新規投稿メッセージ等の入力とその表示を実行する。Ｓ７５においては、内容項目ドロップダウンリスト２ｂの三角表示ボタンがクリックされたか否かを判定し、クリックされたときときにはＳ７６に処理を進め、クリックされていないときにはＳ７８に処理を進める。
Ｓ７６において、内容項目一覧をドロップダウン表示させ、Ｓ７７において、内容項目の１つを指定させて設定し、Ｓ７８に処理を進める。Ｓ７８においては、送信ボタンがクリックされたか否かを判定し、クリックされたときにはＳ７９に処理を進め、新規投稿メッセージ等を送信し、図１７のＳ５１に戻って、一覧表示ページのHTMLファイルを受信する。クリックされていないときには、Ｓ７４に処理を戻す。
WWWサーバのＳ９３において、新規投稿メッセージ等を受信したか否かを判定し、受信したときにはＳ９４に処理を進め、新規投稿メッセージが反映された、一覧表示ページのHTMLファイルを作成し、図１７のＳ６１に戻って、HTMLファイルを送信する。ただし、既に図１７のＳ６３において内容項目が指定された投稿記事が検索．抽出されているときには、その指定された内容項目に属する投稿記事の一覧表示ページとなる。
【００５３】
図１９は、図１６のＳ１９，Ｓ３８における「先生の掲示板」の処理の詳細を説明する第３のフロ−チャートである。
ユーザ端末のＳ１０１において、一覧表示された投稿記事のリンク部分がクリックされたか否かを判定し、クリックされたときにはＳ１０２に処理を進め、クリックされていないときには、次の図２０のＳ１３１に処理を進める。Ｓ１０２において、投稿記事ページの要求を送信する。
WWWサーバのＳ１２１において、投稿記事ページの要求を受信したか否かを判定し、受信したときには、Ｓ１２２に処理を進め、受信しないときには、次の図２０のＳ１４１に処理を進める。
Ｓ１２２においては、要求された投稿記事ページのHTMLファイルを送信する。この投稿記事ページ（図７）には、要求された投稿記事の内容のほか、この投稿記事に対して階層関係を有する関連する投稿記事群の一覧リストがツリー表示される。
【００５４】
ユーザ端末のＳ１０３において、要求した投稿記事ページ（図７）のHTMLファイルを受信して表示し、Ｓ１０４に処理を進める。
Ｓ１０４において、返信ボタンがクリックされたか否かを判定し、クリックされたときにはＳ１０５に処理を進め、クリックされないときにはＳ１０６に処理を進める。
Ｓ１０６において、「もどるボタン」がクリックされたときには、Ｓ１１３に処理を進め、戻る要求を送信し、図１７のＳ５１に処理を戻し、一覧表示ページのHTMLファイルを受信して表示する。一方、「もどるボタン」がクリックされていないときには、この図１９のＳ１０４に処理を戻す。
Ｓ１０５においては、応答要求を送信し、Ｓ１０７に処理を進める。
WWWサーバのＳ１２３において、応答要求を受信したか否かを判定し、受信したときにはＳ１２４に処理を進め、受信しないときにはＳ１２５に処理を進める。Ｓ１２５において、戻る要求を受信したか否かを判定し、受信したときには図１７のＳ６１に処理を戻し、一覧表示ページのHTMLファイルを送信する。
Ｓ１２４において、応答投稿ページ（図８）のHTMLファイルを送信する。タイトル等は、デフォルト表示されるようになっている。
【００５５】
ユーザ端末のＳ１０７において、応答投稿ページ（図８）のHTMLファイルを受信して表示し、Ｓ１０８に処理を進め、応答投稿メッセージ等の入力と表示を行う。
Ｓ１０９において、送信ボタン４ｂがクリックされたか否かを判定し、クリックされたときにはＳ１１０に処理を進め、クリックされていないときにはＳ１１１に処理を進める。Ｓ１１０において、応答投稿メッセージ等を送信し、図１７のＳ５１に処理を戻し、一覧表示ページのHTMLファイルを受信して表示する。
【００５６】
WWWサーバのＳ１２６において、応答投稿メッセージ等を受信したか否かを判定し、受信したときにはＳ１２７に処理を進め、受信しないときには、Ｓ１２８に処理を進める。
Ｓ１２７において、応答投稿メッセージが反映された「先生の掲示板」の一覧表示ページのHTMLファイルを作成し、図１７のＳ６１に処理を戻す。ここで、既に、Ｓ６３において一覧表示する内容項目が指定されていたときには、引き続き、内容項目が指定された一覧表示を行わせる。内容項目が指定されていなかったときには、全ての投稿記事の一覧表示を行う。
Ｓ１２８において戻る要求を受信したときには、この図１９のＳ１２２に処理を戻し、受信しないときにはＳ１２６に処理を戻す。
なお、このフローチャートでは、説明を簡単にするため、階層リスト表示部３ｄ中の投稿記事へのリンクを省略した。
【００５７】
図２０は、図１６のＳ１９，Ｓ３８における「先生の掲示板」の処理の詳細を説明する第４のフロ−チャートである。
ユーザ端末のＳ１３１においては、アイコン説明ボタンがクリックされたか否かを判定し、クリックされたときにＳ１３２に処理を進め、クリックされていないときには、Ｓ１３３に処理を進める。
Ｓ１３３において、最初のページ（図３）に戻るボタンがクリックされたか否かを判定し、クリックされたときにはＳ１３７に処理を進め、最初のページ（図３）に戻る要求を送信し、図１６のフローに戻る。クリックされていないときには、図１７のＳ５２に処理を戻す。
WWWサーバのＳ１４１において、アイコン説明要求を受信したか否かを判定し、受信したときにはＳ１４２に処理を進め、受信しないときにはＳ１４３に処理を進める。
Ｓ１４３において、最初のページ（図３）に戻る要求を受信したか否かを判定し、受信したときには、図１６のフローに戻り、受信しないときには図１７のＳ６２に処理を戻す。
【００５８】
ユーザ端末のＳ１３２においては、アイコン説明要求を送信する。
WWWサーバのＳ１４２において、アイコン説明表示ページ（図１５）のHTMLファイルを送信し、Ｓ１４４に処理を進める。
ユーザ端末のＳ１３４においては、アイコン説明表示ページ（図１５）のHTMLファイルを受信して表示し、Ｓ１３５に処理を進める。Ｓ１３５において、「閉じるボタン」がクリックされたか否かを判定し、クリックされたときにはＳ１３６に処理を進め、閉じる要求を送信し、図１７のＳ５１に処理を戻し、一覧表示ページのHTMLファイルを受信して表示する。
WWWサーバのＳ１４４において、閉じる要求を受信したか否かを判定し、受信したときには、図１７のＳ６１に処理を戻し、一覧表示ページのHTMLファイルを送信する。
【００５９】
次に、投稿内容検索および投稿者検索について説明する。
図２１は、「みんなの掲示板」において、先生が投稿内容検索および投稿者検索を行うフローチャートである。図２０においてＳ１３３の直前、Ｓ１４３の直前に挿入することができる。
ユーザ端末のＳ１５１において、投稿内容検索ボタンがクリックされたか否かを判定し、クリックされたときにはＳ１５２に処理を進め、クリックされていないときにはＳ１５７に処理を進める。Ｓ１５２において、投稿内容検索要求を送信する。
WWWサーバのＳ１７１において、投稿内容検索要求を受信したか否かを判定し、受信したときはＳ１７２に処理を進め、受信していないときはＳ１７６に処理を進める。Ｓ１７２において、投稿内容検索条件ページ（図示せず）のHTMLファイルを送信する。このページには、例えば、検索語のテキストボックスが設けられている。
【００６０】
ユーザ端末のＳ１５３において、投稿内容検索条件ページのHTMLファイルを受信して投稿内容検索条件ページを表示する。
Ｓ１５４において、ユーザに検索語を入力させ、検索語を表示する。Ｓ１５５において、送信ボタンがクリックされたか否かを判定し、クリックされたときにはＳ１５６に処理を進める。Ｓ１５６において、検索語を送信して、図１７のＳ５１に処理を戻す。
WWWサーバのＳ１７３において、検索語を受信したか否かを判定し、受信したときには、Ｓ１７４に処理を進め、受信した検索語をタイトルやメッセージ等に含んでいる投稿記事を検索・抽出し、Ｓ１７５において、受信した検索語を含む投稿記事の一覧表示ページ１のHTMLファイルを作成して、図１７のＳ６１に処理を進める。
なお、既に、Ｓ６３において内容項目を条件として検索・抽出されていたときには、この指定された内容項目に属する投稿記事についてＳ１７４で検索・抽出することになる。あるいは、Ｓ１７４における検索・抽出においては、内容項目の指定を行わないようにしてもよい。
【００６１】
次に、ユーザ端末のＳ１５７において、投稿者検索ボタンがクリックされたか否かを判定し、クリックされていないときには、図２０のＳ１３３に処理を進め、クリックされたときにはＳ１５８に処理を進める。Ｓ１５８において、投稿者検索要求を送信し、Ｓ１５９に処理を進める。
WWWサーバのＳ１７６において、投稿者検索要求を受信したか否かを判定し、受信しなかったときには、図２０のＳ１４４に処理を進め、受信したときにはＳ１７７に処理を進める。Ｓ１７７において、投稿者検索条件ページ（図示せず）のHTMLファイルを送信する。
【００６２】
ユーザ端末のＳ１５９において、投稿者検索条件ページのHTMLファイルを受信して投稿者検索条件ページを表示する。音楽教室の先生としてのメンバー登録を行ったユーザの端末には、あらかじめその音楽教室の生徒の名簿がWWWサーバから送信されている。既に入力された生徒名（ハンドルネームあるいはメールアドレス）は、投稿者検索条件ページにデフォルト表示されるようにする。
Ｓ１６０において、検索投稿者名等（ハンドル名またはメールアドレス）をデフォルトで表示の中から指定するか、名簿にない投稿者についてタイプ入力して表示させる。Ｓ１６１において、送信ボタンがクリックされたか否かを判定し、クリックされたときにはＳ１６２に処理を進め、検索投稿者名等を送信して、図１７のＳ５１に処理を戻す。
【００６３】
WWWサーバのＳ１７８において、検索投稿者名等を受信したか否かを判定し、受信したときにはＳ１７９に処理を進め、受信した検索投稿者名等の投稿記事を検索・抽出し、Ｓ１８０において、受信した検索投稿者等の投稿記事の一覧表示ページのHTMLファイルを作成し、図１７のＳ６１に処理を戻す。
なお、既にＳ６３において、内容項目を条件として検索・抽出をしていたときには、この指定された内容項目に属する投稿記事についてＳ１７９で検索・抽出することになる。あるいは、Ｓ１７９における検索・抽出においては、内容項目の指定を行わないようにしてもよい。
【００６４】
上述したＳ１５７〜Ｓ１６２の処理を簡易化することもできる。
先生用の「生徒自動抽出ボタン」を「みんなの掲示板」に設けておき、このボタンをクリックするだけで、WWWサーバに記憶された自分の生徒名（ハンドルネームあるいはメールアドレス等）の投稿記事を自動抽出させて一覧表示させることができる。
上述した説明は、先生が利用できる検索機能を説明した。生徒あるいは一般ユーザは、図５等の一覧表示ページ１が「みんなの掲示板」であっても、投稿者検索ボタンをクリックしても機能しないようにしている。しかし、生徒あるい一般ユーザにも、投稿者検索機能を実行させてもよい。この場合、検索投稿者名は、テキストボックスにタイプ入力すればよい。
【００６５】
上述した説明では、「先生の掲示板」と「みんなの掲示板」という複数の掲示板を設け、それぞれが独立した異なるWWWブラウザ画面で表示されるようにした。「先生の掲示板」とは、登録された会員だけがアクセスして利用できる掲示板であり、ＩＤやパスワードを入力することによって利用できる。一方、「みんなの掲示番」は、あらかじめ登録を義務づけてもよいが、原則として自由に参加できる。
【００６６】
先生は、「先生の掲示板」だけでなく、「みんなの掲示板」を利用できる。そこで、「先生の掲示板」の投稿記事の中に、みんなの掲示板を意味する「掲示板管理番号」と「みんなの掲示板」における投稿番号等の投稿記事を特定する「投稿記事管理番号」とを組みあわせて引用し、サーバ側では、この「みんなの掲示板を示す「掲示板管理番号」を識別して「みんなの掲示板」の投稿記事にリンクを張るようにしてもよい。投稿記事の本文中に、リンクされたテキストをクリックすると、「みんなの掲示板」の投稿記事が「先生の掲示板」とは別の「みんなの掲示板」の画面に表示される。
図２１においては、先生が「みんなの掲示板」において、自分の生徒名を検索対象として投稿者名検索を行った。上述した「みんなの掲示板」を示す「掲示板管理番号」も条件として検索することにより、「先生の掲示板」から、上述した自分の生徒名を検索対象とした投稿者名検索を行うことができる。
なお、「みんなの掲示板」からは、先生しか見られない「先生の掲示板」にアクセスできないようにする。
【００６７】
上述した説明では、２つの掲示板として、先生という特定会員用と生徒あるいは一般ユーザ用の２つの掲示板について説明した。
しかし、インターネット上では、一般に、種々のテーマを有する掲示板が複数存在する。このように異なる掲示板の間でも、同様にして、複数の掲示板が、互いに、あるいは、一方向にアクセスすることができる。具体的には、他方の掲示板を意味する「掲示板管理番号」と「投稿者名」（あるいは「検索語」）とを組みあわせて検索・抽出を行う。あるいは、一方の掲示板の投稿記事の中に他方の掲示板を意味する「掲示板管理番号」と投稿記事を特定する「投稿記事管理番号」とを組みあわせて投稿記事中に引用してリンクを張る。
【図面の簡単な説明】
【００６８】
【図１】本発明の実施の一形態によって、ユーザ端末の表示器に表示される表示ページの説明図である。
【図２】投稿記事データベース２１４におけるデータ構造の一例を模式的に示す説明図である。
【図３】あるインターネットサービスのトップページの一例を示す説明図である。
【図４】電子掲示板のトップページの一例を示す説明図である。
【図５】一覧表示ページの一例を示す第１の説明図である。
【図６】一覧表示ページの一例を示す第２の説明図である。
【図７】投稿記事ページ３の一例を示す説明図である。
【図８】応答投稿ページ４の一例を示す説明図である。
【図９】応答投稿記事の内容が反映された一覧表示ページ１の一例を示す説明図である。
【図１０】図５に示した一覧表示ページ１において、内容項目を指定するときの画面の一例を示す説明図である。
【図１１】内容項目として「買います」が指定されたときの一覧表示ページ１の画面の一例を示す説明図である。
【図１２】内容項目として「教えて」が選択されたときの一覧表示ページ１の画面の一例を示す説明図である。
【図１３】新規投稿ページ２の画面の一例を示す説明図である。
【図１４】新規投稿ページ２の画面において、ドロップダウンリストを表示させたときの画面の一例を示す説明図である。
【図１５】アイコン説明のページの一例を示す説明図である。
【図１６】ユーザ端末からWWWサーバの電子掲示板サービスにアクセスする処理の動作例を示すフローチャートである。
【図１７】図１６のＳ１９，Ｓ３８における「先生の掲示板」の処理の詳細を説明する第１のフロ−チャートである。
【図１８】図１６のＳ１９，Ｓ３８における「先生の掲示板」の処理の詳細を説明する第２のフロ−チャートである。
【図１９】図１６のＳ１９，Ｓ３８における「先生の掲示板」の処理の詳細を説明する第３のフロ−チャートである。
【図２０】図１６のフローチャートにおけるＳ１９，Ｓ３８における「先生の掲示板」の処理の詳細を説明するフロ−チャートである。
【図２１】投稿内容検索および投稿者検索を実行するフローチャートである。
【図２２】ネットワークを利用した従来の電子掲示板サービスを説明するためのシステム概要図である。
【図２３】従来のネットワークを利用した電子掲示板の表示制御方法を説明するための機能構成図である。
【符号の説明】
【００６９】
１  一覧表示ページ、１ａ  内容項目選択用ドロップダウンリスト、１ｂ  新規投稿ボタン、１ｃ  アイコン、１ｄ  各投稿記事のリスト表示項目、２  新規投稿ページ、２ａ  入力領域、２ｂ  内容項目指定用ドロップダウンリスト、２ｃ  送信ボタン、３  投稿記事ページ、３ａ  投稿記事表示部、３ｂ  応答投稿ボタン、３ｃ  もどるボタン、３ｄ  階層リスト表示部、３ｅ  矢印、４  応答投稿ページ、４ａ  入力領域、４ｂ  送信ボタン、４ｃ  もどるボタン
【図１】
2005004794.tif 000003
【図２】
2005004794.tif 000004
【図３】
2005004794.tif 000005
【図４】
2005004794.tif 000006
【図５】
2005004794.tif 000007
【図６】
2005004794.tif 000008
【図７】
2005004794.tif 000009
【図８】
2005004794.tif 000010
【図９】
2005004794.tif 000011
【図１０】
2005004794.tif 000012
【図１１】
2005004794.tif 000013
【図１２】
2005004794.tif 000014
【図１３】
2005004794.tif 000015
【図１４】
2005004794.tif 000016
【図１５】
2005004794.tif 000017
【図１６】
2005004794.tif 000018
【図１７】
2005004794.tif 000019
【図１８】
2005004794.tif 000020
【図１９】
2005004794.tif 000021
【図２０】
2005004794.tif 000022
【図２１】
2005004794.tif 000023
【図２２】
2005004794.tif 000024
【図２３】
2005004794.tif 000025